(57)【要約】【課題】フィニッシャのステープル、パンチ動作を検知、または動作を予測し、動作中には定着ヒータの一部または全部を消灯することによって消費電力の削減を可能とする画像形成装置の提供。【解決手段】ステープルソート可能なフィニシャが接続できる電子写真方式の画像形成装置であって、フィニシャからのステータスを取得するステータス取得手段と、定着のために定着ローラを加熱するための定着ヒータの点灯消灯を制御する定着ヒータ制御手段と、前記フィニシャのステータス取得手段で取得したステータスからフィニシャがステープル中であるか否かを判別する判別手段と、該判別手段においてフィニシャがステープル中であると判別した場合、定着ヒータをオフする命令を行う命令手段とを有し、接続されたフィニシャがステープル中である場合には、定着ヒータをオフする制御を行うことを特徴とする。【選択図】        図１
2004294855.tif 000002
【特許請求の範囲】
【請求項１】
ステープルソート可能なフィニシャが接続できる電子写真方式の画像形成装置であって、
フィニシャからのステータスを取得するステータス取得手段と、定着のために定着ローラを加熱するための定着ヒータの点灯消灯を制御する定着ヒータ制御手段と、前記フィニシャのステータス取得手段で取得したステータスからフィニシャがステープル中であるか否かを判別する判別手段と、該判別手段においてフィニシャがステープル中であると判別した場合、定着ヒータをオフする命令を行う命令手段と、を有し、
接続されたフィニシャがステープル中である場合には、定着ヒータをオフする制御を行うことを特徴とする画像形成装置。
【発明の詳細な説明】
【０００１】
【発明の属する技術分野】
本発明は、ステープル処理、パンチ穴穿孔処理可能なフィニッシャを接続している電子写真方式の画像形成装置に関する。
【０００２】
【従来の技術】
従来のステープル、パンチ制御と接続している画像形成装置本体の制御は、それぞれ独立して動作しているのが通例であった。
【０００３】
また、上記事例を改善したものとして、画像形成装置に接続したステープルユニットを有するオプション装置に画像形成装置の電源を供給して、オプション装置内のステープルユニットを駆動可能にするもので、シート束のステープル実行前に、装置本体の動作停止要求を装置本体に送信して、装置本体の動作を停止させることで、電源は、ステープルユニットまたは装置本体を駆動できる程度の電源容量に抑えることができ、電源を小型化できるという提案が開示されている（例えば、特許文献１参照。）。
【０００４】
【特許文献１】
特開平１１−７９５３５号公報
【０００５】
【発明が解決しようとする課題】
然しながら、上述の従来例では、電源を小型化した後にも未だ改善の余地が残されており、即ちフィニッシャにおいて画像形成装置より出力された用紙に対してステープル、パンチ動作時に多くの消費電力を必要とするため、消費電力に余裕をもたせた電源ユニットを用意する必要があり、これがコストアップの要因となるという問題があった。
【０００６】
本発明は、上述の点に着目して成されたもので、フィニッシャのステープル、パンチ動作を検知、または動作を予測し、動作中には定着ヒータの一部または全部を消灯することによって消費電力の削減を可能とする画像形成装置の提供を目的とする。
【０００７】
【課題を解決するための手段】
本発明は、下記構成を備えることにより上記課題を解決できるものである。
【０００８】
（１）ステープルソート可能なフィニシャが接続できる電子写真方式の画像形成装置であって、
フィニシャからのステータスを取得するステータス取得手段と、定着のために定着ローラを加熱するための定着ヒータの点灯消灯を制御する定着ヒータ制御手段と、前記フィニシャのステータス取得手段で取得したステータスからフィニシャがステープル中であるか否かを判別する判別手段と、該判別手段においてフィニシャがステープル中であると判別した場合、定着ヒータをオフする命令を行う命令手段と、を有し、
接続されたフィニシャがステープル中である場合には、定着ヒータをオフする制御を行うことを特徴とする画像形成装置。
【０００９】
（２）ステープルソート可能なフィニシャが接続できる電子写真方式の画像形成装置であって、
フィニシャへステープル処理のためのステータスを通知する通知手段と、通知したステータスを記憶するステータス記憶手段と、フィニシャへの後処理命令からの時間を計測する時間計測手段と、定着のために定着ローラを加熱するための定着ヒータの点灯消灯を制御する定着ヒータ制御手段と、前記ステータス記憶手段で取得したステータスと前記時間計測手段からフィニシャが現在ステープル中であるか否かを判別する判別手段と、該判別手段においてフィニシャがステープル中であると判別した場合、定着ヒータをオフする命令を行う命令手段と、を有し、
接続されたフィニシャがステープル中である場合には、定着ヒータをオフする制御を行うことを特徴とする画像形成装置。
【００１０】
（３）パンチ穴を穿孔可能なフィニシャが接続できる電子写真方式の画像形成装置であって、
フィニシャからのステータスを取得するステータス取得手段と、定着のために定着ローラを加熱するための定着ヒータの点灯消灯を制御する定着ヒータ制御手段と、前記フィニシャのステータス取得手段で取得したステータスからフィニシャがパンチ中であるか否かを判別する判別手段と、該判別手段においてフィニシャがパンチ中であると判別した場合、定着ヒータをオフする命令を行う命令手段と、を有し、
接続されたフィニシャがパンチ中である場合には、定着ヒータをオフする制御を行うことを特徴とする画像形成装置。
【００１１】
（４）パンチ穴を穿孔可能なフィニシャが接続できる電子写真方式の画像形成装置であって、
フィニシャへパンチ処理のためのステータスを通知する通知手段と、通知したステータスを記憶するステータス記憶手段と、フィニシャへの後処理命令からの時間を計測する時間計測手段と、定着のために定着ローラを加熱するための定着ヒータの点灯消灯を制御する定着ヒータ制御手段と、前記ステータス記憶手段で記憶したステータスと前記時間計測手段からフィニシャが現在パンチ中であるか否かを判別する判別手段と、該判別手段においてフィニシャがパンチ中であると判別した場合、定着ヒータをオフする命令を行う命令手段と、を有し、
接続されたフィニシャがパンチ中である場合には、定着ヒータをオフする制御を行うことを特徴とする画像形成装置。
【００１２】
【発明の実施の形態】
（実施例１）
図１は、本発明に係る画像形成装置の一例としてのフルカラー画像形成装置のシステム構成を示す模式図である。
【００１３】
１は、複写機本体リーダ部で、プリンタ３１の画像出力装置と通信可能に接続され、原稿画像から画像情報を読み取り、プリンタ３１に送信する。１００１はＣＰＵで、ＲＯＭ１００３に格納されたプログラムに基づいて、複写機本体リーダ部１、プリンタ３１で構成される複写機全体を総括制御する。１００２はＲＡＭで、ＣＰＵ１００１の作業領域である。
【００１４】
また、１００４は操作部で、ＬＣＤ、ＬＥＤ等の各種表示部および複数の設定キーにより構成され、複写機の各種操作および設定を行うことができる。
【００１５】
なお、複写機リーダ部１は、パーソナルコンピュータまたはワークステーション５から所定の通信媒体を介して送信される印字情報をプリンタ３１に送信して、プリンタ３１で印字させることが出来る。
【００１６】
プリンタ３１において、３１００はＤＣコントローラで、図示しない画像形成部を制御する。ＤＣコントローラ３１００は、ＣＰＵ３１０１、ＲＡＭ３１０２、ＲＯＭ３１０３を有し、ＣＰＵ３１０１は、ＲＯＭ３１０３に格納された所定のバージョンのＤＣコントローラ制御プログラムに基づいてプリンタ３１全体を総括制御する。ＲＡＭ３１０２はＣＰＵ３１０１の作業領域である。
【００１７】
３１ａは、フィニッシャで、プリンタ３１に接続され、プリンタ３１から排紙される記録媒体にソート処理等後処理を施す。フィニッシャ３１ａは、ＣＰＵ３１９７、ＲＡＭ３１９８、ＲＯＭ３１９９を有し、ＣＰＵ３１９７は、ＲＯＭ３１９９に格納された所定のバージョンの制御プログラムに基づいてフィニッシャ３１ａ全体を総括制御する。ＲＡＭ３１９８はＣＰＵ３１９７の作業領域である。
【００１８】
また、プリンタ３１は、フィニッシャ３１ａ以外の各種アクセサリを装着できる。
【００１９】
本実施例ではステープル綴じ機構を持つ場合について説明する。
【００２０】
＜画像形成シーケンス＞
図２は、本発明に係る画像形成装置の一例としてのフルカラー画像形成装置の概略構成を示す模式的側断面図である。図２に基づき基本的な構成を説明する。
【００２１】
まず、カラーリーダー部（複写機本体リーダ部）１の構成について説明する。１０１は原稿台ガラス（プラテン）、１０２は自動原稿給紙装置（ＡＤＦ）である。なお、この自動原稿給紙装置１０２の代わりに、鏡面圧板もしくは白色圧板（図示略）を装着する構成でもよい。１０３および１０４は原稿を照明する光源であり、ハロゲンランプ、蛍光灯、キセノン管ランプなどの類の光源を使用する。１０５および１０６は光源１０３および１０４の光を原稿に集光する反射傘である。１０７〜１０９はミラー、１１０は原稿からの反射光または投影光をＣＣＤ（電荷結合素子）イメージセンサ（以下、ＣＣＤということにする）１１１上に集光するレンズである。１１２はＣＣＤ１１１が実装されている基板、１００は画像形成装置全体を制御する制御部、１１３はディジタル画像処理部である。１１４は、光源１０３および１０４と反射傘１０５および１０６と、ミラー１０７を収容するキャリッジである。１１５は、ミラー１０８および１０９を収容するキャリッジである。なお、キャリッジ１１４は速度Ｖで、キャリッジ１１５は速度Ｖ／２で、ＣＣＤ１１１の電気的走査方向（主走査方向Ｘ）に対して直交する副走査方向Ｙに機械的に移動することによって、原稿の全面を走査する。
【００２２】
また、制御部１００は、図３に示すようにディジタル画像処理部１１３とプリンタ制御部２５０に対してそれぞれ制御を行うための情報をやり取りする外部Ｉ／Ｆ１１６を持つＣＰＵ３０１と操作部３０３、メモリ３０２によって構成されている。
【００２３】
即ち、図３は、本発明に係る画像形成装置の制御処理部の一構成例を示すブロック図である。
【００２４】
図３において、操作部３０３は操作者による処理実行内容の入力や操作者に対する処理に関する情報及び警告等の通知のためのタッチパネル付き液晶により構成される。１１６は他のデバイスとの外部インターフェース（Ｉ／Ｆ）であり、具体的には外部インターフェースの先にファクシミリ装置（図示略）やＬＡＮインターフェース装置（図示略）等と接続可能である。なお、ファクシミリ装置やＬＡＮインターフェース装置との画像情報およびコード情報のやり取り手続きの制御については、各接続装置の制御部（図示略）とＣＰＵ３０１との相互通信により行われる。
【００２５】
次に、ディジタル画像処理部１１３および制御部１００の詳細な説明を行う。
【００２６】
図４は、ディジタル画像処理部１１３および制御部１００のプリンタ制御部２５０へ画像信号データを出力するまでの詳細な構成例を示すブロック図である。
【００２７】
即ち、画像読み取り時のＣＣＤ入力からプリンタ制御部までの画像情報処理の詳細な構成例を示すブロック図である。
【００２８】
原稿台ガラス上の原稿は光原１０３・１０４からの光を反射し、その反射光はＣＣＤ１１１に導かれて電気信号に変換される。
【００２９】
ＣＣＤ１１１がカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない。
【００３０】
そして、その電気信号（アナログ画像信号）はディジタル画像処理部１１３に入力され、クランプ＆Ａｍｐ＆Ｓ／Ｈ＆Ａ／Ｄ部５０２でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。そして、ＲＧＢ信号はシェーディング部５０３で、シェーディング補正及び黒補正が施された後、つなぎ＆ＭＴＦ補正＆原稿検知部５０４で、ＣＣＤ１１１が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度や変倍率によって読取のＭＴＦが変わるため、その変化を補正し、原稿検知は原稿台ガラス上の原稿を走査することにより原稿サイズを認識する。
【００３１】
読取位置タイミングが補正されたディジタル信号は、入力マスキング部５０５によって、ＣＣＤ１１１の分光特性及び光源１０３・１０４及び反射傘１０５・１０６の分光特性を補正する。入力マスキング部５０５の出力は外部Ｉ／Ｆ信号との切換え可能なセレクタ５０６に入力される。セレクタ５０６から出力された信号は色空間圧縮＆下地除去＆ＬＯＧ変換部５０７と下地除去部５１４に入力される。下地除去部５１４に入力された信号は下地除去された後、原稿中の原稿の黒い文字かどうかを判定する黒文字判定部５１５に入力され、原稿から黒文字信号を生成する。また、もう一つのセレクタ５０６の出力が入力された色空間圧縮＆下地除去＆ＬＯＧ変換部５０７では、色空間圧縮は読み取った画像信号がプリンタで再現できる範囲に入っているかどうか判断し、入っている場合はそのまま、入っていない場合は画像信号をプリンタで再現できる範囲に入るように補正する。そして、下地除去処理を行い、ＬＯＧ変換部でＲＧＢ信号からＹＭＣ信号に変換する。そして、黒文字判定部５１５で生成された信号とタイミングを補正するため、色空間圧縮＆下地除去＆ＬＯＧ変換部５０７の出力信号は遅延５０８でタイミングを調整される。この二種類の信号はモワレ除去部５０９でモワレが除去され、変倍処理部５１０で主走査方向に変倍処理される。５１１はＵＣＲ＆マスキング＆黒文字反映部で、変倍処理部５１０で処理された信号は、ＹＭＣ信号からはＵＣＲ処理でＹＭＣＫ信号が生成され、マスキング処理部でプリンタの出力に合った信号に補正されると共に、黒文字判定部５１５で生成された判定信号がＹＭＣＫ信号にフィードバックされる。ＵＣＲ＆マスキング＆黒文字反映部５１１で処理された信号はγ補正部５１２で濃度調整された後、フィルタ部５１３でスムージング又はエッジ処理される。以上処理された画像データ情報は制御部１００上のページメモリ部５１６に一旦記憶され、プリンタ制御部２５０からの各色の画像書き出し基準タイミングに従い、プリンタ制御部２５０に画像データ信号として順次ビデオクロックに同期させてプリンタ制御部２５０に送信される。
【００３２】
次に、カラープリンタ部２の構成を説明する。図３において、プリンタ制御部２５０は、画像形成装置全体の制御部である制御部１００上のＣＰＵ３０１からの制御信号の受け口となる。制御部１００からの印刷開始等の制御信号に従い、プリンタ制御部２５０はカラープリンタ部２の印刷制御を行う。２０１はレーザスキャナで、画像データ信号に対応するレーザ光を、ポリゴンミラーで主走査方向に走査して感光ドラム２０２に照射する。感光ドラム２０２上に形成された静電潜像は、感光ドラム２０２の時計方向への回転により４色現像ロータリ各色中の１色のスリーブ位置に達する。静電潜像された感光ドラム２０２表面と現像バイアスが印加された現像スリーブ面との間に形成される電位量に応じたトナーが、各色現像器２０３から感光ドラム２０２表面へ飛ばされ、感光ドラム２０２表面の静電潜像が現像される。
【００３３】
感光ドラム２０２上に形成されたトナー像は、感光ドラム２０２の時計方向への回転により、反時計方向に回転する中間転写体２０５に転写される。黒単色画像の場合には、中間転写体２０５に対して所定時間間隔を空けて順次画像形成され１次転写される。フルカラー画像の場合には、感光ドラム２０２上の各色に対応する静電潜像を、各色毎に順次現像ロータリのスリーブ位置出しを行い、現像／１次転写し、中間転写体２０５の４回転後に、すなわち４色分の１次転写した時点で、フルカラー画像の１次転写が完了する。
【００３４】
一方、各カセット（上段カセット２０８／下段カセット２０９／３段目カセット２１０／４段目カセット２１１）から各カセット段の各ピックアップローラ２１２／２１３／２１４／２１５によりピックアップされ、各カセット段の各給紙ローラ２１６／２１７／２１８／２１９により搬送される記録紙は、縦パス搬送ローラ２２２／２２３／２２４／２２５によりレジストローラ２２１まで搬送される。手差し給紙の場合には、手差しトレイ２４０に積載された記録紙は、手差し給紙ローラ２２０でレジストローラ２２１まで搬送される。
【００３５】
この時、給紙された用紙がレジストローラ２２１を通過する前に画像形成装置本体からフィニッシャへと搬送する用紙の用紙サイズ、用紙マテリアル、フィニッシャへの搬送速度情報、ステープル綴じ位置、束排出用紙の先頭用紙情報、束排出用紙の最後端用紙情報の各情報をフィニッシャへと送信し、ステープル動作を行う場合は、同期後処理要求信号をオンしてサイズラッチ信号をオンする。用紙がレジストローラ２２１通過時にはフィニッシャより出力されるサイズラッチ応答信号を検知して前記同期後処理要求信号、サイズラッチ信号をオフしてレジストオン信号をオンする。
【００３６】
そして、中間転写体２０５への転写が終了するタイミングで、中間転写体２０５と２次転写ローラ２０６の間に記録紙が搬送される。その後、記録紙は２次転写ローラ２０６と中間転写体２０５とに挟まれる形で定着器方向へ搬送されるとともに中間転写体２０５に圧着され、中間転写体２０５上のトナー像が記録紙に２次転写される。記録紙に転写されたトナー像は、定着ローラおよび加圧ローラ２０７により加熱および加圧され記録紙に定着される。なお、記録紙に転写されずに残る中間転写体２０５上の転写残留トナーに関しては、中間転写体２０５の表面上に当接・離間可能なクリーニングブレード２３０を擦り当て、転写残留トナーを中間転写体２０５表面から掻き取ることで、画像形成シーケンス後半の後処理制御でクリーニングされる。感光ドラムユニット内では、残留トナーがブレード２３１によりドラム表面から掻き取られ、感光ドラムユニット内に一体化されている廃トナーボックス２３２まで搬送される。さらに、予期せぬことで吸着している可能性のある２次転写ローラ表面上の正負各極性の残留トナーを２次転写正バイアスおよび２次転写逆バイアスを交互に印加し、中間転写体２０５上に各極性の残留トナーを吸着させ、上記の中間転写クリーニングブレード２３０で残留トナーを掻き取ることで、残トナーが完全にクリーニングされて後処理制御は終了する。
【００３７】
画像が定着された記録紙は、第１排紙の場合には、第１排紙フラッパ２３７を第１排紙ローラ方向に切り替えて、排紙ローラ２３３を目指して排紙される。第２排紙の場合には、第１排紙フラッパ２３７および第２排紙フラッパ２３８を第２排紙ローラ方向に切り替えて、排紙ローラ２３４を目指して排紙される。第３排紙の場合には、一旦反転ローラ２３５で反転動作を行うために、第１排紙フラッパ２３７および第２排紙フラッパ２３８を反転ローラ２３５方向に切り替えて反転ローラ２３５で反転させる。反転ローラ２３５で反転後、第３排紙フラッパを第３排紙方向に切り替えて、第３排紙ローラ２３６を目指して排紙される。両面排紙の場合には、第３排紙の場合と同様に一旦反転ローラ部２３５で反転動作を行い、第３排紙フラッパを両面ユニット方向に切り替えて、両面ユニットに搬送される。両面センサで記録紙が検出されてから所定時間後に一旦停止し、再度画像準備が整い次第再給紙され、２面目の画像形成が行われる。
【００３８】
この時、画像形成された用紙が指定された排出口から排出されるとき、画像形成装置は前記レジストオン信号をオフして排紙信号をオンにする。その後、フィニッシャより送信されたソータ排出応答信号を検知して前記排紙信号をオフしてソータ排出応答信号をオンする。
【００３９】
以上の一連のプリント動作シーケンスにおいて、フィニッシャから送られるステープル中信号を画像形成装置において検知した場合、定着ローラ内に配置された定着ヒータの全部または定着ヒータが複数配置されている場合は定着ヒータの一部を消灯する制御を行うことで消費電力を削減する。
【００４０】
また前記ステープル中信号を検知する手段を持たない画像形成装置においては、前記サイズラッチ時にフィニッシャに送信する用紙サイズ情報、搬送速度情報とステープル綴じ位置情報を基にして前記排出信号オンからの時間で定着ヒータを消灯する制御を行うようにする。
【００４１】
具体的な制御としては、最後端用紙として排出した用紙後端がステープル綴じ位置に来るまでの時間を用紙サイズ情報と搬送速度情報から算出する、次に一回のステープルに要する時間、ステープル２箇所綴じの場合は次のステープル位置までの移動速度とステープルに要する時間、以上の時間を最後端用紙の排紙信号オン時を起点としてタイマーで計測し、ステープル中であると予想される時間には定着ヒータを消灯する制御を行うようにする。
【００４２】
＜フィニッシャ排出ステープルシーケンス＞
フィニッシャにおいては、前記画像形成装置より送られたサイズラッチ信号検知時に同期後処理要求信号がオンされている場合、ステープル綴じ位置情報に基づいたステープル位置までステープルユニットを移動させ、サイズラッチ応答信号をオンにする。
【００４３】
その後、レジストオン信号オンを検知したらレジストオン応答信号をオンする。そして排紙信号オンを検知すると排紙応答信号をオンする、この時に排紙された用紙が最後端用紙である場合には、ステープル動作を行いステープル中信号をオンする。ステープル動作終了後にはステープル中信号をオフにして、フィニッシャより排出する、この時ソータ排出信号をオンにして、画像形成装置がソータ排出応答信号をオンした時にソータ排出信号をオフにする。
【００４４】
（実施例２）
実施例１と同様の構成を持つ画像形成装置で接続されるフィニッシャにおいて、本実施例ではパンチ穴穿孔機構を持つ場合について説明する。
【００４５】
＜画像形成シーケンス＞
給紙された用紙がレジストローラを通過する前に画像形成装置本体からフィニッシャへと搬送する用紙の用紙サイズ、用紙マテリアル、フィニッシャへの搬送速度情報、パンチ指定情報、束排出用紙の先頭用紙情報、束排出用紙の最後端用紙情報の各情報をフィニッシャへと送信し、パンチ動作を行う場合は同期後処理要求信号をオンしてサイズラッチ信号をオンする。用紙がレジストローラ通過時にはフィニッシャより出力されるサイズラッチ応答信号を検知して前記同期後処理要求信号、サイズラッチ信号をオフしてレジストオン信号をオンする。
【００４６】
画像形成された用紙が指定された排出口から排出されるとき、画像形成装置はレジストオン応答信号を検知して前記レジストオン信号をオフして排紙信号をオンにする。その後、フィニッシャより送信されたソータ排出応答信号を検知して前記排紙信号をオフしてソータ排出応答信号をオンする。
【００４７】
以上の一連のプリント動作シーケンスにおいて、フィニッシャから送られるパンチ中信号を画像形成装置において検知した場合、定着ローラ内に配置された定着ヒータの全部または定着ヒータが複数配置されている場合は定着ヒータの一部を消灯する制御を行うことで消費電力を削減する。
【００４８】
また、前記パンチ中信号を検知する手段を持たない画像形成装置においては、前記サイズラッチ時にフィニッシャに送信する用紙サイズ情報、搬送速度情報とパンチ指定情報を基にして前記排出信号オンからの時間で定着ヒータを消灯する制御を行うようにする。
【００４９】
具体的な制御としては、排出した用紙後端がパンチ位置に来るまでの時間を用紙サイズ情報と搬送速度情報から算出する、この時間を用紙の排紙信号オン時を起点としてタイマーで計測し、パンチ中であると予想される時間には定着ヒータを消灯する制御を行うようにする。
【００５０】
＜フィニッシャ排出ステープルシーケンス＞
フィニッシャにおいては、前記画像形成装置より送られたサイズラッチ信号検知時に同期後処理要求信号がオンされ、パンチ指定されている場合、パンチユニットをパンチレディ状態にし、サイズラッチ応答信号をオンにする。
【００５１】
その後、レジストオン信号オンを検知したらレジストオン応答信号をオンする、そして排紙信号オンを検知すると排紙応答信号をオンする、この時に排紙された用紙がパンチ位置に達した場合にはパンチ動作を行い、パンチ中信号をオンする。パンチ動作終了後にはパンチ中信号をオフにして、フィニッシャより排出する。
【００５２】
この時ソータ排出信号をオンにして、画像形成装置がソータ排出応答信号をオンした時にソータ排出信号をオフにする。
【００５３】
【発明の効果】
以上説明したように、本発明によれば、フィニッシャのステープル、パンチ動作を検知、または動作を予測し、動作中には定着ヒータの一部または全部を消灯することによって消費電力の削減を可能とする画像形成装置を提供することが出来る。
【図面の簡単な説明】
【図１】本発明に係る画像形成装置の一例としてのフルカラー画像形成装置のシステム構成を示す模式図
【図２】本発明に係る画像形成装置の一例としてのフルカラー画像形成装置の概略構成を示す模式的側断面図
【図３】本発明に係る画像形成装置の制御処理部の一構成例を示すブロック図
【図４】画像読み取り時のＣＣＤ入力からプリンタ制御部までの画像情報処理の詳細な構成例を示すブロック図
【符号の説明】
１  複写機本体リーダ部
５  パーソナルコンピュータまたはワークステーション（ＰＣ／ＷＳ）
３１  プリンタ
３１ａ  フィニッシャ
１００  制御部
１１１  ＣＣＤ
１１３  ディジタル画像処理部
１１６  外部Ｉ／Ｆ
２５０  プリンタ制御部
１００１  ＣＰＵ
１００２  ＲＡＭ
１００３  ＲＯＭ
１００４  操作部
３１００  ＤＣコントローラ
３１０１  ＣＰＵ
３１０２  ＲＡＭ
３１０３  ＲＯＭ
３１９７  ＣＰＵ
３１９８  ＲＡＭ
３１９９  ＲＯＭ
【図１】
2004294855.tif 000003
【図２】
2004294855.tif 000004
【図３】
2004294855.tif 000005
【図４】
2004294855.tif 000006